【事件の表示】
　特願２００３−５１４８２３「携帯端末から通信網へのアクセスを管理するシステムと方法」拒絶査定不服審判事件〔平成１５年　１月３０日国際公開、ＷＯ０３／０９６１４、平成１６年１１月２５日国内公表、特表２００４−５３５７４５〕について、次のとおり審決する。
【結　論】
　本件審判の請求は、成り立たない。
【理　由】
１．手続の経緯・本願発明
　本願は、平成１４年７月４日（パリ条約による優先権主張、平成１３年７月１１日、仏国）を国際出願日とする出願であって、平成２０年８月１１日付けで拒絶査定がされ（発送日：同年８月１９日）、これに対して同年１１月１７日に拒絶査定不服審判が請求され、同年１１月２５日付けで手続補正書が提出され、平成２３年４月８日付けで当審より拒絶理由が通知され（発送日：同年４月１９日）、これに対し、同年１０月１８日付けで意見書が提出されるとともに、同日付で手続補正がなされたものである。
　この平成２３年１０月１８日付け手続補正書により補正された明細書、特許請求の範囲及び図面の記載からみて、本願の特許請求の範囲の請求項１に係る発明（以下、「本願発明」という。）は、その特許請求の範囲の請求項１に記載された以下のとおりのものと認める。
　　
「少なくとも一つの表示手段と選択手段を含む一つの携帯端末（１０）から、それぞれ一通りのサービスを提供する独立した複数の通信網（２０、２１、２２、５０）にアクセスするのを管理するシステムであり、
　独立した複数の通信網（２０、２１、２２、５０）をそれぞれ識別する名称を内容とするホーム・ページがあって、
　前記携帯端末(１０)が、入口通信網（５０）としての前記通信網の少なくとも一つを指定するための表示手段、そして、前記入口通信網(５０)で、携帯端末の前記表示手段に表示される少なくとも一つのホーム・ページ上での内容に含まれる前記名称のうちの一つを選択するための選択手段と、その独立した複数の通信網の、いずれか一つとの接続を確立する為の手段とを含み、
　そこに前記それぞれ一通りのサービスを提供する独立した複数の通信網（２０、２１、２２、５０）のそれぞれを識別する名称を少なくとも一つ有し、
　前記携帯端末(１０)で、その入口通信網（５０）のホーム・ページにアクセスする際に、独立した複数の通信網（２０、２１、２２、５０）を識別する前記複数の名称が前記表示手段に表示され、
　前記選択手段が、前記複数の名称のうちの、前記選択された一つと結びつけることにより、前記入口通信網が、前記独立した複数の通信網（２０、２１、２２、５０）へのアクセスを可能にするということを特徴とするシステム。」
　
２．引用刊行物記載の発明　
　本願の優先日前である平成９年８月１２日に公表された特表平９−５０７９８６号公報（以下「引用例」という。）には、図面と共に、次の事項が記載されている（下線は当審にて付与。）。
　
（１）　「第１図を参照して、本発明を利用する概して参照番号１０によって表されるネットワークのブロック図を示す。
ネットワーク１０において
複数の通信システム１１〜１７があり、すべては有線システム１８を介して共通通信システム１９に結合され
相互接続システム１８は、ＩＳＤＮ(Ｉntegrated Ｓervices Ｄigital Ｎetwork)などの有線システムでもよ
また、これらシステムは、ライン２３に沿って直接接続してもよ
加入者ユニット２０はネットワーク１０における通信システムのうち一つにアクセスを試み
このアクセスを達成するために
加入者ユニット２０はまずチャネル２１を利用して共通通信システム１９にアクセス
共通通信システム１９は、ネットワーク１０で利用可能なシステムのリストで加入者ユニット２０に返答する
  加入者ユニット２０がどのシステムを利用したいかを決定すると、加入者ユニット２０は共通通信システム１９に要求を行い、選択された通信システムの実行プログラム(enabling program)を受信する。次に加入者ユニットは、
選択された通信システム、この例ではＵＭＴＳ(Ｕniversal Ｍobile Ｔelecommunication Ｓystem)
（７ページ２３行−８ページ１１行）
　
（２）  「ここで第４図を参照して、
共通通信システム１９のより詳細なブロック図を示す
システム１９は、利用可能な他の通信システムのリスト４８を収容
（１０ページ１６−２４行）
　
（３）　「最後に、第７図および第８図において、本発明を利用できる
加入者ユニット７０の設計を示す
加入者ユニット７０は、パーソナル・データ・アシスタント（ＰＤＡ）と無線電話とを兼用する
加入者ユニット７０は、ディスプレイ７１およびキーパッド７２からなり
  
動作時に、
７０が共通ネットワークにアクセスすると、利用可能なシステムのリストがディスプレイ７１に表示され
次に、ユーザはキーパッドを利用して所望のシステムを選択できる
（１２ページ１−１４行）
　
（４）　「図１」には、「複数の通信システム１１〜１７」の例示として、「イリジウム（１１）」、「ＧＳＭ（１２）」、「ＰＣＳ（１３）」、「ＵＮＩＴＳ（審決注：「ＵＭＴＳ」の誤記と認める。）（１４）」、「ＤＥＣＴ（１５）」、「ＥＴＡＣＳ（１６）」、「将来のシステム（１７）」が記載されていると認められる。
　
　これらの引用例の記載から、引用例には、次の発明（以下、「引用発明」という。）が記載されていると認定できる。
　
「ネットワーク１０において、例えばイリジウム、ＧＳＭ、ＰＣＳ、ＵＭＴＳ、ＤＥＣＴ、ＥＴＡＣＳ、将来のシステムである複数の通信システム１１〜１７があり、すべては有線システム１８を介して共通通信システム１９に結合され、相互接続システム１８は、ＩＳＤＮ(Ｉntegrated Ｓervices Ｄigital Ｎetwork)などの有線システムでもよく、また、これらシステムは、ライン２３に沿って直接接続してもよく、
　加入者ユニット２０はネットワーク１０における通信システムのうち一つにアクセスを試み、このアクセスを達成するために、加入者ユニット２０はまずチャネル２１を利用して共通通信システム１９にアクセスし、共通通信システム１９は、ネットワーク１０で利用可能なシステムのリストで加入者ユニット２０に返答するものであって、
　共通通信システム１９は、利用可能な他の通信システムのリスト４８を収容しており、
　加入者ユニット７０は、ディスプレイ７１およびキーパッド７２からなり、動作時に、加入者ユニット７０が
共通ネットワーク
　ネットワーク１０。」
　
３．対比
（１）　引用発明の「ディスプレイ７１およびキーパッド７２」を備える「加入者ユニット（２０又は７０）」は、本願発明の「少なくとも一つの表示手段と選択手段」を含む「一つの携帯端末（１０）」に相当する。
　引用発明の「複数の通信システム１１〜１７」は、例えば「イリジウム、ＧＳＭ、ＰＣＳ、ＵＭＴＳ、ＤＥＣＴ、ＥＴＡＣＳ」である。引用発明の「共通通信システム１９」は、「共通
ネットワーク
Ｎetwork
ネットワーク
　よって、引用発明の「ネットワーク１０」であって、「加入者ユニット（２０又は７０）」から、「ネットワーク１０における通信システムのうち一つにアクセスを試み、このアクセスを達成する」ものは、本願発明の「少なくとも一つの表示手段と選択手段を含む一つの携帯端末（１０）から、
それぞれ一通りのサービスを提供する独立した
　
（２）　引用発明の「共通通信システム１９」は、「共通
ネットワーク
　引用発明の「加入者ユニット２０」は、「まずチャネル２１を利用して共通通信システム１９にアクセス」しているから、共通通信システム１９に「アクセスするための手段」を備えると認められる。
　よって、引用発明の「加入者ユニット２０」は、本願発明の「入口通信網（５０）としての前記通信網の少なくとも一つを
指定するための表示手段
アクセスするための手段
　
（３）　引用発明において、共通通信システム１９で「利用可能な他の通信システムのリスト４８」を収容しておき、「加入者ユニット７０が共通ネットワークにアクセスすると、
利用可能なシステムのリスト
表示され
キーパッドを利用して所望のシステムを選択できる
少なくとも一つのホーム・ページ上での内容に含まれる前記名称のうちの
情報
　
（４）　引用発明において「
加入者ユニット７０
共通ネットワークにアクセスすると
利用可能なシステムのリストがディスプレイ７１に表示され
のホーム・ページ
独立した複数の通信網（２０、２１、２２、５０）を識別する前記複数の名称が
情報が
　
（５）　引用発明において、利用可能なシステムのリストがディスプレイ７１に表示された次に、「ユーザはキーパッドを利用して所望のシステムを選択できる」ことは、「ネットワーク１０における
通信システムのうち一つに
アクセスを達成する
前記複数の名称のうちの、前記選択された一つと結びつけることにより、
前記独立した
　
（６）　まとめ
　したがって、両者の一致点、相違点は以下のとおりである。
　
［一致点］
「少なくとも一つの表示手段と選択手段を含む一つの携帯端末（１０）から、複数の通信網（２０、２１、２２、５０）にアクセスするのを管理するシステムであり、
　前記携帯端末(１０)が、入口通信網（５０）としての前記通信網の少なくとも一つをアクセスするための手段、そして、前記入口通信網(５０)で、携帯端末の前記表示手段に表示される、情報のうちの一つを選択するための選択手段、とを含み、
　前記携帯端末(１０)で、その入口通信網（５０）にアクセスする際に、情報が前記表示手段に表示され、
　前記選択手段が、前記入口通信網が、複数の通信網（２０、２１、２２、５０）へのアクセスを可能にするということを特徴とするシステム。」である点。
　
［相違点１］
　本願発明の「複数の通信網」は、「それぞれ一通りのサービスを提供する独立した」複数の通信網（２０、２１、２２、５０）であるのに対して、引用発明の「複数の通信システム１１〜１７」と「共通通信システム１９」は、このような「それぞれ一通りのサービスを提供する独立した」ものであることの明記がない点。
　
［相違点２］
　本願発明は、携帯端末(１０)が、「入口通信網（５０）としての前記通信網」の少なくとも一つを「
指定
表示
　
［相違点３］
　本願発明は、「独立した複数の通信網（２０、２１、２２、５０）をそれぞれ識別する名称を内容とするホーム・ページがあって」、「選択手段」が、携帯端末の前記表示手段に表示される「少なくとも一つのホーム・ページ上での内容に含まれる前記名称の」うちの一つを選択するための選択手段であり、「そこに前記それぞれ一通りのサービスを提供する独立した複数の通信網（２０、２１、２２、５０）のそれぞれを識別する名称を少なくとも一つ有し」、「表示手段」において、その入口通信網（５０）「のホーム・ページ」にアクセスする際に、「独立した複数の通信網（２０、２１、２２、５０）を識別する前記複数の名称が」前記表示手段に表示され、前記選択手段が、「前記複数の名称のうちの、前記選択された一つと結びつけることにより」、前記入口通信網が、「前記独立した」複数の通信網（２０、２１、２２、５０）へのアクセスを可能にするのに対して、引用発明は、「利用可能なシステムのリスト」が加入者ユニット７０のディスプレイ７１に表示され、ユーザはキーパッドを利用して所望のシステムを選択できることは記載があるものの、このような「独立した複数の通信網をそれぞれ識別する名称を内容とするホーム・ページ」があって、「少なくとも一つのホーム・ページ上での内容に含まれる前記名称の」うちの一つを選択するための選択手段を含み、入口通信網（５０）「のホーム・ページ」にアクセスする際に、「独立した複数の通信網を識別する前記複数の名称が」前記表示手段に表示され、前記選択手段が、「前記複数の名称のうちの、前記選択された一つと結びつけることにより」、入口通信網が、「前記独立した」複数の通信網へのアクセスを可能にすることの記載がない点。
　
［相違点４］
　本願発明の「前記携帯端末(１０)」は、「その独立した複数の通信網の、いずれか一つとの接続を確立する為の手段」を含むのに対して、引用発明は、「ネットワーク１０における
通信システムのうち一つに
アクセスを達成する
　
４．相違点についての判断
［相違点１について］
　引用発明で例示された「イリジウム、ＧＳＭ、ＰＣＳ、ＵＭＴＳ、ＤＥＣＴ、ＥＴＡＣＳ」などの通信システムは、それぞれ、「イリジウム衛星携帯電話サービス」、「ＧＳＭ方式携帯電話サービス」など固有のサービスを、固有の設備により提供する、互いに独立した通信網といえる。
　よって、引用発明の「複数の通信システム１１〜１７」と「共通通信システム１９」とを、「それぞれ一通りのサービスを提供する独立した」複数の通信網として、相違点１に係る構成とすることは、当業者が適宜なし得る設計的事項である。
　
［相違点２について］
　一般に、通信端末において、特定の接続先にアクセスする場合に、アクセス先を「表示」して、アクセス先のアドレスなどを「指定」することは、例えば、電子電話帳で電話の接続先を「表示」して、接続先の電話番号を「指定」する場合のように、普通に行われる。
　よって、引用発明の、共通通信システム１９にアクセスする「加入者ユニット（２０又は７０）」において、アクセス先の通信網を「指定するための表示手段」を設けることで、相違点２に係る構成とすることは、当業者が適宜なし得る事項である。
　
［相違点３について］
　［相違点１について］記載のとおり、「独立した」複数の通信網を用いる点は、当業者が適宜なし得る設計的事項である。
　一般に、複数の情報を「ホームページ」形式で表示して選択すること、及び、通信の接続先を「名前」で特定することは、それぞれ、周知技術である（「ホームページ」の表示と選択について、引用文献２（特開２０００−２１６８２０号公報）の段落【００２９】−【００３１】の「…移動局ＭＳａから送信されたＵＲＬによって指定されたゲートウェイサーバＧＷＳａの
ホームページが初期画面として表示される
ユーザが選択可能なメニューの一覧を示す画面が初期画面として表示されることとなる
この初期画面に表示されたメニュー番号を選択すると
短い名前
短い名前
ｈｏｍｅ  Ｐａｇｅ”というフルネーム
アクセスポイント名
　よって、「利用可能なシステムのリスト」をディスプレイ７１に「表示」して、キーパッドを利用して所望のシステムを「選択」する引用発明において、複数の情報を「ホームページ」の形式で表示して選択する周知技術と、通信の接続先を「名前」で特定する周知技術とを適用することで、「独立した複数の通信網（２０、２１、２２、５０）をそれぞれ識別する名称を内容とするホーム・ページがあって」、「選択手段」が、携帯端末の前記表示手段に表示される「少なくとも一つのホーム・ページ上での内容に含まれる前記名称の」うちの一つを選択するための選択手段であり、「そこに前記それぞれ一通りのサービスを提供する独立した複数の通信網（２０、２１、２２、５０）のそれぞれを識別する名称を少なくとも一つ有し」、「表示手段」が、その入口通信網（５０）「のホーム・ページ」にアクセスする際に、「独立した複数の通信網（２０、２１、２２、５０）を識別する前記複数の名称が」前記表示手段に表示され、前記選択手段が、「前記複数の名称のうちの、前記選択された一つと結びつけることにより」、前記入口通信網が、「前記独立した」複数の通信網（２０、２１、２２、５０）へのアクセスを可能にする、相違点３に係る構成とすることは、当業者が適宜なし得る事項である。
　
［相違点４について］
　［相違点１について］記載のとおり、「独立した」複数の通信網を用いる点は、当業者が適宜なし得る設計的事項である。
　一般に、ネットワークにアクセスするために、「ネットワークへの接続を確立する手段」を設けることは、普通に行われている（引用文献５（特開２０００−１０１６５２号公報）の段落【００１８】の「
回線接続部１４０は
有線通信網２０
又は無線通信網４０と接続して回線を確立する手段である
　よって、「ネットワーク１０における
通信システムのうち一つに
アクセスを達成する
　
　そして、本願発明のように構成したことによる効果も引用発明及び各周知技術から予測できる範囲のものである。
　
５．むすび
　以上のとおり、本願発明は、引用発明及び各周知技術に基づいて、当業者が容易に発明をできたものであるから、特許法第２９条第２項の規定により特許を受けることができない。
　よって、結論のとおり審決する。